(57)【要約】【課題】スプライス電線の端末処理を信頼性良く行う。【解決手段】端子金具５０は、長さ方向の途中部分に中間芯線部１１Ａを露出させた幹線部１０と、長さ方向の先端部分に先端寄り芯線部３１Ａを露出させ、さらに最先端部に残留被覆部３２Ａを形成した枝線部３０と、中間芯線部１１Ａと先端寄り芯線部３１Ａとに一括して圧着されるワイヤバレル部５３を有するとともに、残留被覆部３２Ａに圧着されてその残留被覆部３２Ａの脱落を規制するインシュレーションバレル部５２を有する。【選択図】図３
2015115118.tif 000002
【特許請求の範囲】
【請求項１】
長さ方向の途中部分に、被覆の除去によって露出する芯線からなる中間芯線部が形成された幹線部と、
長さ方向の先端部分に、被覆の除去によって露出する芯線からなる先端寄り芯線部が形成され、さらに、前記先端寄り芯線部よりも先方の最先端部に残る被覆によって残留被覆部が形成された枝線部と、
前記中間芯線部と前記先端寄り芯線部とに一括して圧着されるワイヤバレル部を有するとともに、前記残留被覆部に圧着されてその残留被覆部の脱落を規制するインシュレーションバレル部を有する端子金具とを備えていることを特徴とする電線の固定構造。
【請求項２】
前記インシュレーションバレル部は、前記残留被覆部と前記幹線部の被覆部分とに一括して圧着されることを特徴とする請求項１記載の電線の固定構造。
【請求項３】
前記残留被覆部は、前記枝線部の芯線の先端よりも先方に突出する部分を有していることを特徴とする請求項１又は２記載の電線の固定構造。
【請求項４】
前記端子金具は、前記幹線部と前記枝線部とを並列に支持する底壁を有していることを特徴とする請求項１ないし３のいずれか１項記載の電線の固定構造。
【発明の詳細な説明】
【技術分野】
【０００１】
本発明は、電線の固定構造に関する。
【背景技術】
【０００２】
特許文献１には、長さ方向の途中部分で芯線部を露出させた被覆電線からなる幹線部と、長さ方向の先端部分で芯線部を露出させた被覆電線からなる枝線部と、幹線部の露出する芯線部と枝線部の露出する芯線部とに一括して圧着されるバレル部（底部と一対の圧着片）を有するスプライス端子とを備えた電線の固定構造が開示されている。
【先行技術文献】
【特許文献】
【０００３】
【特許文献１】特開２００９−２９５３３３号公報
【発明の概要】
【発明が解決しようとする課題】
【０００４】
上記のような電線の固定構造の場合、枝線部の露出する芯線部と幹線部の露出する芯線部とにテープ巻きが施され、さらにテープの外周側にコルゲートチューブが被せ付けられ、枝線部の先端部をテープやコルゲートチューブ等の外装材で被覆するのが一般的であった。しかし、枝線部の先端部に配置された芯線部の先端によって外装材が損傷する懸念があるため、その対策が求められていた。
【０００５】
本発明は上記のような事情に基づいて完成されたものであって、スプライス電線の端末処理を信頼性良く行うことを目的とする。
【課題を解決するための手段】
【０００６】
本発明の電線の固定構造は、長さ方向の途中部分に、被覆の除去によって露出する芯線からなる中間芯線部が形成された幹線部と、長さ方向の先端部分に、被覆の除去によって露出する芯線からなる先端寄り芯線部が形成され、さらに、前記先端寄り芯線部よりも先方の最先端部に残る被覆によって残留被覆部が形成された枝線部と、前記中間芯線部と前記先端寄り芯線部とに一括して圧着されるワイヤバレル部を有するとともに、前記残留被覆部に圧着されてその残留被覆部の脱落を規制するインシュレーションバレル部を有する端子金具とを備えているところに特徴を有する。
【発明の効果】
【０００７】
枝線部の最先端部が残留被覆部によって保護されるため、外装材が枝線部の芯線部の先端で傷つくのが防止される。また、残留被覆部が端子金具のインシュレーションバレル部により圧着されて脱落を規制され、端子金具が中間芯線部と先端寄り芯線部とに一括して圧着されるワイヤバレル部をも有するため、端子金具以外の専用部材によって残留被覆部の脱落を規制する場合に比べ、部品点数を削減することができる。また、専用部材を不要とする分、コストを安価に抑えることができる。
【図面の簡単な説明】
【０００８】
【図１】本発明の実施例１において、幹線部と枝線部とが並列に配置され、幹線部の長さ方向途中に、被覆の除去によって中間芯線部が露出し、枝線部の長さ方向先端部に、被覆の除去によって先端寄り芯線部が露出した状態を示す平面図である。
【図２】さらに、残留被覆部を変位させ、芯線部の先端よりも先方に残留被覆部の先端部が位置するようにした状態を示す平面図である。
【図３】さらに、端子金具のワイヤバレル部及びインシュレーションバレル部によって幹線部と枝線部とを一括して圧着した状態を示す平面図である。
【発明を実施するための形態】
【０００９】
本発明の好ましい形態を以下に示す。
前記インシュレーションバレル部は、前記残留被覆部と前記幹線部の被覆部分とに一括して圧着される。これにより、枝線部と幹線部とが共締め状態で一体に固定される。また、かかる固定構造が端子金具とは別に設けられる場合に比べ、部品点数を削減することができる。
【００１０】
前記残留被覆部は、前記枝線部の芯線の先端よりも先方に突出する部分を有している。これにより、枝線部の芯線の先端全体が残留被覆部によって覆われた状態となるため、芯線の先端が外装材と接触することに起因する不具合を確実に防止することができる。
【００１１】
前記端子金具は、前記幹線部と前記枝線部とを並列に支持する底壁を有している。これにより、幹線部と枝線部とが底壁を介して並列に安定して支持される。  
【００１２】
＜実施例１＞
本発明の実施例１を図１〜図３によって説明する。電線の固定構造は、図３に示すように、幹線部１０と、幹線部１０から分岐した枝線部３０と、これら枝線部３０と幹線部１０とに接続されるスプライス用の端子金具５０とを備えている。実施例１の場合、スプライス電線としての幹線部１０及び枝線部３０は、端子金具５０を介して横並びで固定されるようになっている。
【００１３】
幹線部１０及び枝線部３０は、いずれも、複数本の芯線１１、３１の周りを被覆１２、３２で包囲した被覆電線として構成されている。幹線部１０は、長さ方向（図示Ｘ−Ｘ方向）の途中部分に、被覆１２の除去によって芯線１１が露出して配置された中間芯線部１１Ａを有している。幹線部１０のうち、中間芯線部１１Ａ以外の部分は、外周が被覆１２で覆われている。
【００１４】
枝線部３０は、長さ方向の先端部に、被覆３２の除去によって芯線３１が露出して配置された先端寄り芯線部３１Ａを有している。枝線部３０のうち、先端寄り芯線部３１Ａ以外の部分は、外周が被覆３２で覆われている。また、枝線部３０は、先端寄り芯線部３１Ａよりも先方となる長さ方向の最先端部に、被覆３２が残留した残留被覆部３２Ａを有している。このため、枝線部３０のうち、先端寄り芯線部３１Ａを挟んだ長さ方向両側の部分が、被覆３２で覆われた形態となる。図２及び図３に示すように、先端寄り芯線部３１Ａは、先端部に、枝線部３０の芯線３１の先端よりも先方に突出する余剰部３２Ｂを有している。
【００１５】
端子金具５０は、導電性の金属板を曲げ加工等して一体に成形され、図３に示すように、長さ方向の全長に亘って延びる帯板状の底壁５１を有している。また、端子金具５０は、長さ方向（図中Ｘ−Ｘ方向）両端部に一対のインシュレーションバレル部５２を有し、長さ方向略中央部にワイヤバレル部５３を有している。全体として見ると、端子金具５０は長さ方向中央を境として対称な形状とされている。このため、幹線部１０及び枝線部３０に端子金具５０を接続させるに際し、端子金具５０の長さ方向の端部を区別する必要がなく、取り扱い性に優れる。
【００１６】
ワイヤバレル部５３は、オープンバレル状をなし、底壁５１の両端から突出する一対のワイヤバレル片５４を有している。一対のインシュレーションバレル部５２は、同じくオープンバレル状をなし、底壁５１の両端から突出する一対のインシュレーションバレル片５５を有している。インシュレーションバレル片５５の長さ方向の寸法（図中Ｘ−Ｘ方向の寸法）は、ワイヤバレル片５４の長さ方向の寸法より充分小さくされている。
【００１７】
次に、電線の固定構造を製造する方法について説明する。
まず、図１に示すように、幹線部１０の長さ方向の途中部分における被覆１２を所定範囲に亘って切除し、その途中部分の芯線１１を露出させることで中間芯線部１１Ａを形成する。また、枝線部３０の長さ方向の先端部分における被覆３２を所定範囲に亘って切除し、その先端部分の芯線３１を露出させることで先端寄り芯線部３１Ａを形成する。この場合、先端寄り芯線部３１Ａの露出長さは、中間芯線部１１Ａの露出長さよりも短くされる。
【００１８】
次いで、図２に示すように、先端寄り芯線部３１Ａよりも先方に存する被覆３２を、先端寄り芯線部３１Ａの露出長さが中間芯線部１１Ａの露出長さと略等しくなる位置まで、先方にスライドさせる。これにより、先端部に余剰部３２Ｂを有する残留被覆部３２Ａが形成される。
【００１９】
続いて、横並び状態にある幹線部１０と枝線部３０とを端子金具５０の底壁５１に載せる。このとき、幹線部１０の中間芯線部１１Ａと枝線部３０の先端寄り芯線部３１Ａとがワイヤバレル部５３の底壁５１に載置され、さらにこれら芯線部１１Ａ、３１Ａよりも先方に位置する幹線部１０の被覆１２と枝線部３０の残留被覆部３２Ａとが先方側（図３の左側）のインシュレーションバレル部５２Ａ（図３を参照）の底壁５１に載置され、これら芯線部１１Ａ、３１Ａよりも後方（図３の右側）に位置する幹線部１０の被覆１２と枝線部３０の被覆３２とが後方側のインシュレーションバレル部５２Ｂ（図３を参照）の底壁５１に載置される。
【００２０】
上記の状態で、図示しないかしめ治具又は金型を用いて、ワイヤバレル部５３を幹線部１０の中間芯線部１１Ａと枝線部３０の先端寄り芯線部３１Ａとに一括して圧着により接続する。この場合、図３に示すように、両ワイヤバレル片５４のうち、一方のワイヤバレル片５４Ｅが幹線部１０の中間芯線部１１Ａを覆うようにこの中間芯線部１１Ａに接続され、他方のワイヤバレル片５４Ｆが枝線部３０の先端寄り芯線部３１Ａを覆うようにこの先端寄り芯線部３１Ａに接続される。
【００２１】
両ワイヤバレル片５４Ｅ、５４Ｆは、圧着後、幅方向（図示Ｙ−Ｙ方向）略中央部に沿って互いに突き合わされる。これにより、中間芯線部１１Ａと先端寄り芯線部３１Ａとが互いに引き寄せられて幅方向略中央部で接触し、且つ、端子金具５０が長さ方向略中央部で括れた形状となる。そして、中間芯線部１１Ａと先端寄り芯線部３１Ａとが互いに接触することにより、幹線部１０と枝線部３０とが電気的及び機械的に接続された状態となる。
【００２２】
また、上記ワイヤバレル部５３の圧着動作と同時又は前後して、先方側のインシュレーションバレル部５２Ａを枝線部３０の残留被覆部３２Ａとそれに対向する幹線部１０の被覆１２とに一括して圧着により接続する。さらに、上記ワイヤバレル部５３及び先方側のインシュレーションバレル部５２Ａの圧着動作と同時又は前後して、後方側のインシュレーションバレル部５２Ｂを先端寄り芯線部３１Ａの後方に位置する枝線部３０の被覆３２とそれに対向する幹線部１０の被覆１２とに一括して圧着により接続する。この場合、両インシュレーションバレル片５５のうち、一方のインシュレーションバレル片５５Ｅが幹線部１０の被覆１２を覆うように被覆１２に接続され、他方のインシュレーションバレル片５５Ｆが枝線部３０の被覆３２（残留被覆部３２Ａを含む）を覆うように被覆３２に接続される。
【００２３】
両インシュレーションバレル片５５Ｅ、５５Ｆは、圧着後、幅方向（図中Ｙ−Ｙ方向）略中央部に沿って互いに突き合わされる。これにより、幹線部１０と枝線部３０の両被覆１２、３２が互いに緊密に当接して、幹線部１０と枝線部３０との横並び状態がしっかりと維持される。また、芯線１１、３１に対して被覆１２、３２が位置ずれするのが阻止される。とくに、残留被覆部３２Ａが幹線部１０から脱落するのが確実に防止される。その後、必要に応じて、枝線部３０の残留被覆部３２Ａとそれに対向する幹線部１０の被覆１２とをコルゲートチューブ等の外装材で被覆する。
【００２４】
こうして製造される本実施例１の電線の固定構造によれば、枝線部３０の最先端部が残留被覆部３２Ａで覆われて保護された状態になるため、外装材を傷つけるおそれがほとんど無く、枝線部３０の端末処理を信頼性良く行うことできる。とくに、残留被覆部３２Ａの余剰部３２Ｂが枝線部３０の芯線３１の先端より先方に配置されるため、枝線部３０の芯線３１の先端周りが残留被覆部３２Ａによってすっぽりと覆われた状態となる。これにより、芯線３１の先端が外装材と接触することに起因する不具合を確実に防止することができる。
【００２５】
また、残留被覆部３２Ａが枝線部３０から抜け出るのがインシュレーションバレル部５２で防止される。しかも、インシュレーションバレル部５２がワイヤバレル部５３と一体となって端子金具５０を構成するため、端子金具５０以外の専用部材で残留被覆部３２Ａの脱落を規制する場合に比べ、部品点数を削減することができ、これによってコストを安価に抑えることができる。さらに、インシュレーションバレル部５２が残留被覆部３２Ａとともに幹線部１０の被覆１２に接続されるため、幹線部１０と枝線部３０とが共締め状態で一体に固定される。
【００２６】
＜他の実施例＞
本発明は上記記述及び図面によって説明した実施例１に限定されるものではなく、例えば次のような態様も本発明の技術的範囲に含まれる。
（１）インシュレーションバレル部は、残留被覆部のみを圧着し、幹線部の被覆を圧着しない構造であってもよい。
（２）端子金具は、残留被覆部を圧着しない後方側のインシュレーションバレル部を有しない構造であってもよい。
（３）ワイヤバレル部及びインシュレーションバレル部はクローズドバレル状をなすものであってもよい。
【符号の説明】
【００２７】
１０…幹線部
１１…（幹線部の）芯線
１１Ａ…中間芯線部
１２…（幹線部の）被覆
３０…枝線部
３１…（枝線部の）芯線
３１Ａ…先端寄り芯線部
３２…（枝線部の）被覆
３２Ａ…残留被覆部
５０…端子金具
５１…底壁
５２…インシュレーションバレル部
５３…ワイヤバレル部
【図１】
2015115118.tif 000003
【図２】
2015115118.tif 000004
【図３】
2015115118.tif 000005